(57)【特許請求の範囲】
【請求項１】
中央部に折り目部が形成され、前記折り目部が上方で小口部が下方となる垂直状態の用紙を上下方向に搬送して用紙処理する用紙処理装置において、
用紙の前記折り目部を下方から支持する支持部と、
前記折り目部を境にして、前記支持部に支持された用紙の面を両側から挟持する挟持部と、
前記支持部に支持された用紙の面に対して、前記挟持部が用紙を挟持する第１挟持動作を実行させ、前記第１挟持動作による用紙の挟持を解除させた後、前記挟持部が再度用紙を挟持する第２挟持動作を実行させる制御部と、
を備えることを特徴とする用紙処理装置。
【請求項２】
前記制御部は、前記第１挟持動作における前記挟持部による用紙の挟持の解除において、前記挟持部が用紙の面に接触した状態を維持するよう制御することを特徴とする請求項１に記載の用紙処理装置。
【請求項３】
前記制御部は、前記第１挟持動作において前記挟持部が用紙を挟持する押圧力を、前記第２挟持動作において前記挟持部が用紙を挟持する押圧力より小さくすることを特徴とする請求項１又は２に記載の用紙処理装置。
【請求項４】
前記挟持部は、一対の板体及び前記一対の板体を駆動する板体駆動部を備え、
前記制御部は、前記板体駆動部を制御して、前記第１挟持動作及び前記第２挟持動作を、前記一対の板体にて実行することを特徴とする請求項１〜３の何れか一項に記載の用紙処理装置。
【請求項５】
前記挟持部は、一対のローラー及び前記一対のローラーを駆動するローラー駆動部を更に備え、
前記制御部は、前記第１挟持動作における前記挟持部による用紙の挟持を解除した後、前記ローラー駆動部を制御して、前記一対のローラーを用紙の面の両側から当接させて、前記一対のローラーを用紙が下方向に移動する方向に回転させる回転動作を実行し、
前記一対のローラーの前記回転動作中又は前記回転動作終了後、前記板体駆動部を制御して、前記一対の板体による前記第２挟持動作を実行することを特徴とする請求項４に記載の用紙処理装置。
【請求項６】
前記挟持部は、一対の板体、前記一対の板体を駆動する板体駆動部、一対のローラー、及び前記一対のローラーを駆動するローラー駆動部を備え、
前記制御部は、前記ローラー駆動部を制御して、前記第１挟持動作を前記一対のローラーにて実行し、前記板体駆動部を制御して、前記第２挟持動作を前記一対の板体にて実行することを特徴とする請求項１〜３の何れか一項に記載の用紙処理装置。
【請求項７】
前記制御部は、前記第１挟持動作における前記一対のローラーによる用紙の挟持を解除した後、前記ローラー駆動部を制御して、前記一対のローラーを用紙の面の両側から当接させて、前記一対のローラーを用紙が下方向に移動する方向に回転させる回転動作を実行し、前記一対のローラーの前記回転動作中又は前記回転動作終了後、前記一対の板体による前記第２挟持動作を実行することを特徴とする請求項６に記載の用紙処理装置。
【請求項８】
用紙を前記折り目部側から排出する排出部を備え、
前記制御部は、前記第２挟持動作終了後、前記ローラー駆動部を制御して、前記一対のローラーが用紙の面の両側に当接した状態において前記一対のローラーを用紙が上方向に移動する方向に回転させる逆回転動作を実行し、用紙を前記排出部に受け渡すことを特徴とする請求項５〜７の何れか一項に記載の用紙処理装置。
【請求項９】
前記制御部は、用紙の紙種、枚数、及び坪量のうちの少なくとも一つの条件に基づいて、前記第１挟持動作において前記挟持部が用紙を挟持する押圧力、挟持時間、及び挟持回数のうちの少なくとも一つの設定を変更することを特徴とする請求項１〜８の何れか一項に記載の用紙処理装置。
【請求項１０】
用紙に対して画像を形成する画像形成装置と、
前記画像形成装置に接続され、前記画像形成装置により画像が形成された後に中央部に折り目部が形成され、前記折り目部が上方で小口部が下方となる垂直状態の用紙を上下方向に搬送する請求項１〜９の何れか一項に記載の用紙処理装置と、
を備えたことを特徴とする画像形成システム。
【発明の詳細な説明】
【技術分野】
【０００１】
本発明は、用紙処理装置及び画像形成システムに関する。
【背景技術】
【０００２】
従来、用紙束に折り処理及び綴じ処理を行って中綴じ製本する用紙処理装置が知られており、用紙束に折り処理した際に、用紙束の膨らみを防止し姿勢を矯正する技術も知られている（例えば、特許文献１参照）。
ところで、近年、中綴じ製本する用紙処理装置において、装置を小型化し操作性を良くするため、装置の下部に小口の断裁部を配置し、装置の上部に角背成形部を配置し、保持部により、用紙（用紙束）を折り目部が上方で小口部が下方となる垂直状態に保持して、上下方向に搬送する構成が提案されている。
【先行技術文献】
【特許文献】
【０００３】
【特許文献１】特開２０１１−１１９１２号公報
【発明の概要】
【発明が解決しようとする課題】
【０００４】
こうした装置においては、用紙を垂直状態に保持した際に、用紙の折り目部が歪む場合があり、その状態のまま各種の処理を行うと、小口部の断裁精度が悪化したり、背表紙部の形状が劣化したりするといった問題が発生することがあった。
しかしながら、例えば上記特許文献１の技術は、用紙の折り目部が上方で小口部が下方となる垂直状態に保持するものではないため、装置の下部に小口の断裁部を配置し、上部に角背成形部を配置するような装置において、用紙の姿勢を矯正することは難しい。
【０００５】
本発明の課題は、用紙の折り目部が上方で小口部が下方となる垂直状態の用紙を上下方向に搬送する際、当該用紙の姿勢を矯正することのできる用紙処理装置及び画像形成システムを提供することである。
【課題を解決するための手段】
【０００６】
上記課題を解決するため、本発明の一態様によれば、
中央部に折り目部が形成され、前記折り目部が上方で小口部が下方となる垂直状態の用紙を上下方向に搬送して用紙処理する用紙処理装置において、
用紙の前記折り目部を下方から支持する支持部と、
前記折り目部を境にして、前記支持部に支持された用紙の面を両側から挟持する挟持部と、
前記支持部に支持された用紙の面に対して、前記挟持部が用紙を挟持する第１挟持動作を実行させ、前記第１挟持動作による用紙の挟持を解除させた後、前記挟持部が再度用紙を挟持する第２挟持動作を実行させる制御部と、
を備えることを特徴とする。
【０００７】
また、本発明の他の態様によれば、
画像形成システムにおいて、
用紙に対して画像を形成する画像形成装置と、
前記画像形成装置に接続され、前記画像形成装置により画像が形成された後に中央部に折り目部が形成され、前記折り目部が上方で小口部が下方となる垂直状態の用紙を上下方向に搬送する上記した用紙処理装置と、
を備えたことを特徴とする。
【発明の効果】
【０００８】
本発明によれば、用紙の折り目部が上方で小口部が下方となる垂直状態の用紙を上下方向に搬送する際、当該用紙の姿勢を矯正することができる。
【図面の簡単な説明】
【０００９】
【図１】画像形成システムの全体構成を示す概略模式図である。
【図２】クランプ部、断裁部、及び角背成形部の構成の一例を示す図である。
【図３】画像形成システムの動作制御に係る主要構成を示すブロック図である。
【図４】クランプ部における中綴じ冊子挟持動作を説明するための模式図である。
【図５】クランプ部における中綴じ冊子挟持動作を説明するための模式図である。
【図６】クランプ部における中綴じ冊子挟持動作を説明するための模式図である。
【図７】クランプ部における中綴じ冊子挟持動作を説明するための模式図である。
【図８】第１挟持動作の押圧力を設定する設定テーブルの一例である。
【発明を実施するための形態】
【００１０】
以下、図面を参照して本発明の一実施形態である画像形成システム１について説明する。
【００１１】
図１は、画像形成システム１の全体構成を示す概略模式図である。
図１に示すように、画像形成システム１は、画像形成装置１００と、中間搬送装置２００と、用紙処理装置３００と、平綴じ処理装置４００と、を有している。
なお、以下の説明において、鉛直方向をＺ方向とし、図１に示す画像形成装置１００、中間搬送装置２００、用紙処理装置３００、及び平綴じ処理装置４００が互いに接続される方向に沿う方向をＸ方向とし、Ｘ方向及びＺ方向に直交する方向をＹ方向とする。
また、Ｘ方向について前側及び後側を付して説明し、Ｙ方向について右側及び左側を付して説明する。ここで、前側は、画像形成システム１における搬送方向の上流側であり、後側は、その下流側である。また、右側は、用紙処理装置３００の中折り・中綴じ処理における搬送方向の上流側であり、左側は、その下流側である。
【００１２】
画像形成装置１００は、用紙に画像を形成する。
具体的には、画像形成装置１００は、例えば、記録媒体として備蓄された用紙を用紙トレイから引き出して搬送する搬送部、ビットマップデータに応じたトナー像を転写ローラー等の一次転写部材に現像する現像部、一次転写部材に現像されたトナー像を転写ドラム１５０等の二次転写部材に転写する一次転写部、二次転写部材に転写されたトナー像を搬送部により搬送される用紙に転写する二次転写部、転写されたトナー像を用紙に定着させる定着部、及び定着部による定着処理後の用紙を排出する排出部等を備え、用紙に画像を形成する。
また、画像形成装置１００は、画像が形成されて排出される用紙を中間搬送装置２００に受け渡す。即ち、画像形成システム１は、画像形成装置１００から排出される用紙が中間搬送装置２００に受け渡されるよう接続されている。
【００１３】
中間搬送装置２００は、用紙を一時的に待機させると共に、用紙に対して筋付け及び断裁を施すことの可能な装置である。
具体的には、中間搬送装置２００は、例えば、画像形成装置１００から搬送された用紙を下降させるように搬送して用紙の紙面をＺ方向にほぼ沿わせた状態で一旦停止させて待機させる待機部（スタッカー）、待機中の用紙の位置を整合する整合部、整合された用紙に筋付けを行う筋付け部（クリーサー）、及び筋付けが施された用紙を搬送しながら当該用紙の余白部分を断裁する断裁部（スリッター）等を備える。
即ち、中間搬送装置２００は、画像形成装置１００から受け渡された用紙を待機部において一旦停止させた状態で整合部により整合を行い、次いで筋付け部により筋付け処理を行った後、筋付けが施された用紙を搬送しながら当該用紙の余白部分を断裁部により断裁する。その後、中間搬送装置２００は、断裁部により余白部分の断裁された用紙を用紙処理装置３００に受け渡す。
なお、中間搬送装置２００は、画像形成装置１００から受け渡された用紙に対して、中間搬送装置２００による各種の処理の一部又は全部を施さずに用紙処理装置３００に受け渡すこともできる。
【００１４】
用紙処理装置３００は、用紙を中折り（二つ折り）にする中折り処理、中折りされた用紙を所定枚数重ね合わせて綴じることにより中綴じ冊子を作成する中綴じ処理、中綴じ冊子の小口断裁を行う断裁処理、中綴じ冊子の背表紙を角背成形する角背成形処理等を行う装置である。
具体的には、用紙処理装置３００は、例えば、中間搬送装置２００から受け渡された用紙をＹ方向に沿って中折りする中折り部３１０、中折り部３１０により中折りされた用紙を重ね合わせ、打針して中綴じ冊子とする中綴じ部３２０、中綴じ部３２０により中綴じされた中綴じ冊子を受け取って、水平面内を折り目部と直交する方向（Ｘ方向）に搬送する用紙搬送機構３３０、用紙搬送機構３３０により搬送された中綴じ冊子の折り目部近傍を挟持して保持するクランプ部３４０、クランプ部３４０により保持された中綴じ冊子の小口の断裁処理を行う断裁部３５０、中綴じ冊子の背表紙の角背成形処理を行う角背成形部３６０、及び中綴じ冊子を外部に排出する排出部３７０等が備えられている。
なお、かかる用紙処理装置３００は、中間搬送装置２００から受け渡された用紙に対して、用紙処理装置３００による各種の処理の一部又は全部を施さずに平綴じ処理装置４００に受け渡すこともできる。
【００１５】
中折り部３１０は、例えば、一対の中折りローラー３１１、３１１と、一対の中折りローラー３１１、３１１の下方に位置し、一対の中折りローラー３１１、３１１の間に進入するように動作可能なＹ−Ｚ平面に沿うよう配設された板状の折りナイフ３１２と、を備えている。
画像形成装置１００から受け渡された用紙は、当該用紙のＸ方向の中央部が折りナイフに３１２対向することとなる位置まで搬送される。すると、折りナイフ３１２は、一対の中折りローラー３１１、３１１の間に進入し、用紙をニップ部に押し込む動作を行う。これにより、用紙は、折りナイフ３１２との当接位置においてＹ方向に沿った折り目部が形成された状態に中折りされる。即ち、用紙は、折り目部が上側でその両端の小口が下側となる所謂山折り形状（山形の用紙）となる。
中折りされた用紙は、図示しない搬送部により折り目部に沿った方向（Ｙ方向）に搬送され、中綴じ部３２０に到達する。
【００１６】
中綴じ部３２０は、中折り部３１０から搬送されてきた用紙を重ね合わせて集積する鞍掛け部３２１、鞍掛け部３２１の上方に設けられた打針部３２２、及び鞍掛け部３２１の内部に設けられた受針部３２３等を備えている。
鞍掛け部３２１上に所定枚数の用紙が集積されると、その用紙束の折り目部上に打針部３２２及び受針部３２３の協働により綴じ針が打ち込まれ、中綴じ冊子が形成される。形成された中綴じ冊子は、鞍掛け部３２１の右端部（搬送方向上流側の端部）に備えられた整合部（図示省略）により下流側の用紙搬送機構３３０に押し出される。
【００１７】
用紙搬送機構３３０は、Ｙ−Ｚ平面に沿うよう配設された板状の移動鞍３３１を有し、Ｘ方向に往復移動可能な移動ユニット３３２を備えている。
中綴じ部３２０から押し出されてきた中綴じ冊子は、移動鞍３３１により、その折り目部（綴じ部分）が下から支持される。移動ユニット３３２は、移動鞍３３１に中綴じ冊子が支持されると、Ｘ方向の後方から前方に向かって移動し、中綴じ冊子をクランプ部３４０に受け渡す。
【００１８】
図２は、用紙処理装置３００のクランプ部３４０、断裁部３５０、及び角背成形部３６０の構成の一例を示す図である。
【００１９】
図２に示すように、クランプ部３４０は、断裁部３５０の上方に設けられ、Ｚ方向に沿って設けられたガイドレールＬに沿って昇降可能である。
クランプ部３４０は、リフター板（支持部）３４１と、一対の挟持板（一対の板体）３４２，３４３と、一対の押さえローラー（一対のローラー）３４４，３４５と、第１駆動部（板体駆動部）Ｍ１（図３参照）と、第２駆動部（ローラー駆動部）Ｍ２（図３参照）とを備える。
なお、一対の挟持板３４２，３４３、一対の押さえローラー３４４，３４５、第１駆動部Ｍ１、及び第２駆動部Ｍ２は、挟持部として機能している。
【００２０】
リフター板３４１は、図示しない駆動部により駆動され、用紙搬送機構３３０により後方から前方に搬送された中綴じ冊子の折り目部を下方から引っ掛けるように吊り上げて支持する。
【００２１】
一対の挟持板３４２，３４３は、第１駆動部Ｍ１により駆動され、Ｘ方向において互いに接近又は離間する方向に移動可能な一対の板体であり、第１挟持動作及び第２挟持動作を実行する。
具体的には、クランプ部３４０と断裁部３５０の間に中綴じ冊子が位置した状態で、クランプ部３４０が下降すると、一対の挟持板３４２，３４３は、移動鞍３３１に支持された中綴じ冊子の折り目部近傍を間に挟んで挟持可能な位置に位置決めされる。そして、リフター板３４１が、中綴じ冊子を下方から引っ掛けるように吊り上げて支持すると、一対の挟持板３４２，３４３は、中綴じ冊子の姿勢を矯正するための第１挟持動作を実行し、当該第１挟持動作を解除した後、中綴じ冊子を再度挟持する第２挟持動作を実行する。第２挟持動作により、クランプ部３４０が中綴じ冊子をクランプすることとなる。
【００２２】
一対の押さえローラー３４４，３４５は、一対の挟持板３４２，３４３より下方に設置されたＹ方向に長尺なローラー対である。
一対の押さえローラー３４４，３４５は、リフター板３４１に支持された中綴じ冊子においてＺ方向の中央部より上方となる位置に対向するよう設置されている。
一対の押さえローラー３４４，３４５は、第２駆動部Ｍ２により駆動され、Ｘ方向において互いに接近又は離間する方向に移動可能であって、中綴じ冊子をＸ方向の両側から挟持することができる。また、一対の押さえローラー３４４，３４５は、第２駆動部Ｍ２により駆動され、中綴じ冊子が上方向に移動する方向、又は中綴じ冊子が下方向に移動する方向に回転可能である。
【００２３】
このため、一対の押さえローラー３４４，３４５は、一対の挟持板３４２，３４３による第１挟持動作が解除された後、中綴じ冊子にＸ方向両側から当接し、中綴じ冊子を下方向に移動させる方向に回転する回転動作をすることで、冊子の最外面の用紙を下方に引っ張って、当該冊子の最外面の用紙のずれを矯正する。
一対の押さえローラー３４４，３４５の回転動作終了後、一対の挟持板３４２，３４３による第２挟持動作が実行される。
【００２４】
また、一対の押さえローラー３４４，３４５は、一対の挟持板３４２，３４３による第２挟持動作終了後、（或いは、断裁部３５０による断裁処置及び／又は角背成形部３６０による角背成形処理後）、中綴じ冊子にＸ方向両側から当接し、中綴じ冊子を上方向に移動させる方向に回転する逆回転動作をすることで、中綴じ冊子を上方向に搬送する。これにより、中綴じ冊子は、垂直な状態で下方から上方に搬送される。
【００２５】
なお、一対の挟持板３４２，３４３による中綴じ冊子の挟持後、移動ユニット３３２は後方に退避する。
また、クランプ部３４０が、中綴じ冊子を保持した状態（第２挟持した状態）で下降することで、中綴じ冊子の小口端部側を断裁部３５０に進入させることができる。
【００２６】
上記したように、本実施形態においては、一対の挟持板３４２，３４３が第１挟持動作及び第２挟持動作を行うと共に、第１挟持動作と第２挟持動作の間に、一対の押さえローラー３４４，３４５が回転動作を行う構成であり、この一連の動作により、垂直状態の中綴じ冊子の姿勢を矯正し、クランプすることができる。かかる一連の動作の詳細については後述する。
【００２７】
断裁部３５０は、断裁挟持部材３５１、３５２を備え、中綴じ冊子の小口は、かかる断裁挟持部材３５１、３５２の間の隙間に所定位置まで進入するようになっている。中綴じ冊子の小口が断裁挟持部材３５１、３５２の間の隙間に所定位置まで進入すると、断裁刃３５３がＹ方向に移動して、中綴じ冊子の小口端部が断裁される。これにより、小口端部が不揃いな中綴じ冊子の小口部が切り揃えられる。
【００２８】
角背成形部３６０は、クランプ部３４０に搭載されている。
角背成形部３６０は、保持板３６１、３６２、及びローラー（図示省略）等を備えている。保持板３６１、３６２は、クランプ部３４０の一対の挟持板３４２，３４３の上方に位置している。
角背成形処理を実行する場合には、一対の挟持板３４２，３４３の第１挟持動作及び一対の押さえローラー３４４，３４５の回転動作後、リフター板３４１により中綴じ冊子を僅かに持ち上げ、保持板３６１、３６２により、中綴じ冊子における一対の挟持板３４２，３４３の挟持位置より上方の折り目部近傍を挟持する。このとき、中綴じ冊子の持ち上げ量は、最大７ｍｍ程度であって、この動作後でも、一対の挟持板３４２，３４３の挟持位置は、依然として中綴じ冊子の折り目部近傍である。
その後、一対の挟持板３４２，３４３の第２挟持動作が行われ、リフター板３４１はＹ方向に移動させて引き抜かれ、ローラーにより中綴じ冊子の折り目部が平らになるよう潰され、折り目部が角型形状に成形される。保持板３６１、３６２は、角背成形処理終了後は、中綴じ冊子から離間する。
【００２９】
排出部３７０は、クランプ部３４０の上方に位置する。排出部３７０は、用紙処理装置３００の上面に配置された積載部と、クランプ部３４０から中綴じ冊子を受け取って積載部に排出する方向転換部とを備えている。
クランプ部３４０の一対の押さえローラー３４４，３４５により、垂直な状態で下方から上方に搬送されてきた中綴じ冊子は、排出部３７０の方向転換部により略水平な姿勢に方向転換され、積載部上に順次重ねられるように排出される。
【００３０】
図１に戻り、平綴じ処理装置４００は、複数の用紙の平綴じ処理等を行う。
具体的には、平綴じ処理装置４００は、例えば、用紙処理装置３００から受け渡された複数の用紙にステープル処理を施すステープル処理部、ステープル処理が施された複数の用紙のうち背表紙と平行な端部を揃えるために当該端部の一部を切り落とす小口断裁を行うページ端断裁部、及び連結された各装置による処理後の用紙を排出する排出部等を備える。
なお、平綴じ処理装置４００は、用紙処理装置３００から受け渡された用紙に対して、平綴じ処理装置４００による各種の処理の一部又は全部を施さずに排出することもできる。
【００３１】
次に、画像形成システム１の動作制御について説明する。
図３は、画像形成システム１の動作制御に係る主要構成を示すブロック図である。
【００３２】
画像形成システム１は、画像形成システム１の動作に係るユーザーの入力操作を受け付け、画像形成システム１の動作に係る表示出力を行う操作表示部５０１、画像形成システム１全体の動作制御を行う中央制御部５０２、画像形成装置１００の動作制御を行う画像形成制御部５０３、中間搬送装置２００の動作制御を行う中間搬送制御部５０４、用紙処理装置３００の動作制御を行う用紙処理制御部（制御部）５０５、及び平綴じ処理装置４００の動作制御を行う平綴じ処理制御部５０６を有する。
【００３３】
操作表示部５０１は、例えば、タッチパネル方式の操作表示装置や各種の入力のためのスイッチ、キー等を有し、ユーザーの入力内容に応じた信号を中央制御部５０２に送信する。
中央制御部５０２、画像形成制御部５０３、中間搬送制御部５０４、及び平綴じ処理制御部５０６はそれぞれ、ＣＰＵ(Central Processing Unit)、ＲＡＭ(Random Access Memory)、ＲＯＭ(Read Only Memory)等を有し、処理内容に応じたソフトウェア・プログラムや各種のデータを読み出して実行処理する。
また、用紙処理制御部５０５も、ＣＰＵ、ＲＡＭ、及び記憶部５０５ａ等を有し、処理内容に応じたソフトウェア・プログラムや各種のデータを読み出して実行処理する。記憶部５０５ａは、読み書きが可能な不揮発性メモリー等である。
【００３４】
中央制御部５０２は、操作表示部５０１を介して入力されたユーザーの入力内容に応じて、画像形成システム１に係る各種の条件の設定を行う。
この設定条件には、例えば、用紙のサイズや画像形成時の色数（例えば、カラー・グレースケール・モノクロ等）、中折りされる用紙枚数、中綴じ処理される一部の用紙の枚数、中綴じ処理を行う用紙の種類、サイズ、坪量、中綴じ処理において用紙の折り目部に対して打ち込む綴じ針の数、中綴じ処理において綴じ針を打ち込む位置（綴じ位置）、中綴じ冊子の小口部の断裁処理の実施／非実施、中綴じ冊子の折り目部の角背成形処理の実施／非実施等が含まれる。
そして、中央制御部５０２は、画像形成制御部５０３、中間搬送制御部５０４、用紙処理制御部５０５、及び平綴じ処理制御部５０６の各制御部に対して設定内容に応じた処理を施すための命令を出力する。各制御部は、命令に応じてそれぞれの制御対象である装置の動作を制御する。
【００３５】
例えば、中央制御部５０２は、用紙処理制御部５０５に対して中折り処理、中綴じ処理、小口断裁処理、角背成形処理等を施すための命令を出力する。
用紙処理制御部５０５は、これに応じて、中折り部３１０、中綴じ部３２０、断裁部３５０、及び角背成形部３６０を制御し、各処理を行う。また、用紙処理制御部５０５は、排出部３７０を制御し、中綴じ冊子の排出を行う。
【００３６】
また、本実施形態においては、用紙処理制御部５０５は、クランプ部３４０のリフター板３４１により中綴じ冊子を支持した状態において、第１駆動部Ｍ１を制御し、一対の挟持板３４２，３４３により冊子をＸ方向の両側から挟持する第１挟持動作及び第２挟持動作を行う。また、用紙処理制御部５０５は、第２駆動部Ｍ２を制御し、一対の挟持板３４２，３４３による第１挟持動作及び第２挟持動作の間に、一対の押さえローラー３４４，３４５により回転動作を行う。
【００３７】
以下、このような一対の挟持板３４２，３４３及び一対の押さえローラー３４４，３４５の動作の詳細について、図４〜図７を用いて説明する。
【００３８】
移動鞍３３１に支持された中綴じ冊子がクランプ部３４０の下方まで搬送されてくると、図４に示すように、クランプ部３４０のリフター板３４１が中綴じ冊子を下方から引っ掛けるように支持して吊り上げる。
図４では、中綴じ冊子が傾いている状態を示している。
【００３９】
次いで、用紙処理制御部５０５は、第１駆動部Ｍ１を制御し、一対の挟持板３４２，３４３を、予め設定された所定距離（第１所定距離）離間した位置となるまで互いに接近する方向に移動させる（第１挟持動作）。
ここで、第１所定距離とは、冊子をＸ方向の両側から僅かに押し込むことができる程度の押圧力を冊子に掛けることのできる距離である。
これにより、図５に示すように、中綴じ冊子は、一対の挟持板３４２，３４３により第１挟持された状態となる。
【００４０】
次いで、用紙処理制御部５０５は、第１駆動部Ｍ１を制御し、一対の挟持板３４２，３４３を、予め設定された所定距離（第２所定距離）離間した位置となるまで互いに離間する方向に移動させる（第１挟持の解除動作）。
ここで、第２所定距離とは、一対の挟持板３４２，３４３が冊子に接触した状態を維持できる距離である。
これにより、図６に示すように、中綴じ冊子の最外面の用紙に一対の挟持板３４２，３４３が当接し、中綴じ冊子の膨らみが抑えられた状態となるため好ましい。
【００４１】
次いで、用紙処理制御部５０５は、第２駆動部Ｍ２を制御し、一対の押さえローラー３４４，３４５を、中綴じ冊子に両側から当接させて、その状態において一対のローラー３４４，３４５を、中綴じ冊子を下方向に移動させる方向に回転させる（回転動作）。
これにより、図６に示すように、中綴じ冊子の最外面の用紙が下方向に引っ張られ、当該中綴じ冊子の最外面の用紙のずれが矯正される。特に、中綴じ冊子の最外面の用紙として、冊子の内部の用紙より厚く剛性の高い表紙を有している場合には、当該表紙のずれを矯正するために一対の押さえローラー３４４，３４５の回転動作は有効である。
【００４２】
次いで、用紙処理制御部５０５は、第２駆動部Ｍ２を制御し、一対の押さえローラー３４４，３４５を、冊子から離間させる。
そして、用紙処理制御部５０５は、第１駆動部Ｍ１を制御し、一対の挟持板３４２，３４３を、予め設定された所定距離（第３所定距離）離間した位置となるまで互いに接近する方向に移動させる（第２挟持動作）。
ここで、第３所定距離とは、冊子を両側（Ｘ方向）から押し込んで保持できる程度の押圧力を冊子に掛けることのできる距離である。なお、この第３所定距離は、第１挟持動作における第１所定距離より狭く設定されている。よって、本実施形態においては、第１挟持動作において冊子を挟持する押圧力が、第２挟持動作において冊子を挟持する押圧力より小さく設定されている。
これにより、図７に示すように、中綴じ冊子は、一対の挟持板３４２，３４３により第２挟持された状態となる。
【００４３】
なお、ここでは、第２挟持動作は、一対の押さえローラー３４４，３４５の回転動作終了後に（一対の押さえローラー３４４，３４５を中綴じ冊子から離間した後に）実行されることとして説明したが、一対の押さえローラー３４４，３４５の回転動作中に第２挟持動作を実行する構成であっても良い。この場合、一対の挟持板３４２，３４３の第２挟持動作後、一対の押さえローラー３４４，３４５が中綴じ冊子から離間すればよい。
【００４４】
その後、一対の挟持板３４２，３４３が中綴じ冊子を挟持した状態において、クランプ部３４０が昇降し、断裁処理や角背成形処理が実行される。
これらの処理が終了すると、用紙処理制御部５０５は、第２駆動部Ｍ２を制御し、一対の押さえローラー３４４，３４５を、中綴じ冊子にＸ方向の両側から当接させて、その状態において一対のローラー３４４，３４５を、中綴じ冊子を上方向に移動させる方向に回転させる（逆回転動作）。
これにより、中綴じ冊子は上方に搬送される。
【００４５】
以上のように、本実施形態によれば、用紙処理装置３００において、中綴じ冊子の折り目部を下方から支持するリフター板３４１と、リフター板３４１に支持された中綴じ冊子を両側から挟持する挟持部と、挟持部により中綴じ冊子を挟持させる第１挟持動作を実行し、挟持部による第１挟持動作を解除させた後、挟持部により再度中綴じ冊子を挟持させる第２挟持動作を実行する用紙処理制御部５０５と、を備える。
このため、第１挟持動作によりリフター板３４１に支持された状態の中綴じ冊子の傾きを矯正した後、第２挟持動作により中綴じ冊子を挟持することができるので、垂直状態の用紙を上下方向に搬送する際、中綴じ冊子の姿勢を矯正でき、中綴じ冊子の折り目部に歪みがない状態で用紙処理を実行することができる。
【００４６】
また、本実施形態によれば、用紙処理制御部５０５は、挟持部による第１挟持動作の解除において、挟持部が冊子に接触した状態を維持するよう制御する。
このため、第１挟持動作により姿勢の矯正された中綴じ冊子の姿勢が、再び膨らんでずれるのを抑えることができる。
【００４７】
また、本実施形態によれば、用紙処理制御部５０５は、第１挟持動作において挟持部が冊子を挟持する押圧力を、第２挟持動作において挟持部が冊子を挟持する押圧力より小さくする。
このため、第１挟持動作の押込み量が小さくてすむので、第１挟持動作を迅速に実行することができ、より効率よく中綴じ冊子の姿勢の矯正を行うことができる。
【００４８】
また、本実施形態によれば、挟持部は、一対の挟持板３４２，３４３及び一対の挟持板３４２，３４３を駆動する第１駆動部Ｍ１を備え、用紙処理制御部５０５は、第１駆動部Ｍ１を制御して、第１挟持動作及び第２挟持動作を、一対の挟持板３４２，３４３にて実行する。
このため、一対の挟持板３４２，３４３の動作を制御するだけで第１挟持動作及び第２挟持動作を実行できるので、装置構成が複雑化するのを防止することができる。
【００４９】
また、本実施形態によれば、挟持部は、一対の押さえローラー３４４，３４５及び一対の押さえローラー３４４，３４５を駆動する第２駆動部Ｍ２を更に備え、用紙処理制御部５０５は、第１駆動部Ｍ１を制御して、一対の挟持板３４２，３４３による第１挟持動作を解除した後、第２駆動部Ｍ２を制御して、一対の押さえローラー３４４，３４５を冊子の両側から当接させて、一対の押さえローラー３４４，３４５を、中綴じ冊子を下方向に移動させる方向に回転させる回転動作を実行し、かかる一対の押さえローラー３４４、３４の回転動作終了後、第１駆動部Ｍ１を制御して、一対の挟持板３４２，３４３による第２挟持動作を実行する。
このため、中綴じ冊子の姿勢を第１挟持動作で矯正した後、中綴じ冊子の最外面の用紙のずれを一対の押さえローラー３４４，３４５により矯正し、その後、第２挟持動作を実行する。
よって、中綴じ冊子の姿勢をより効果的に矯正することができる。
【００５０】
また、本実施形態によれば、中綴じ冊子を折り目部側から排出する排出部３７０を備え、
用紙処理制御部５０５は、第２挟持動作終了後、第２駆動部Ｍ２を制御して、一対の押さえローラー３４４，３４５が中綴じ冊子の両側に当接した状態において一対の押さえローラー３４４，３４５を、中綴じ冊子を上方向に移動させる方向に回転させる逆回転動作を実行し、中綴じ冊子を排出部３７０に受け渡す。
このため、一対の押さえローラー３４４，３４５により、垂直状態の用紙を上方向に搬送し、排出部３７０から排出することができる。
【００５１】
なお、上記実施の形態における用紙処理装置３００の各構成要素の細部構成及び細部動作に関しては、本発明の趣旨を逸脱することのない範囲で適宜変更可能であることは勿論である。
【００５２】
例えば、上記実施形態においては、一対の押さえローラー３４４，３４５及び第２駆動部Ｍ２を備えた構成を例示して説明したが、これらを備えない構成であっても良い。
これらを備えない構成であっても、一対の挟持板３４２，３４３により第１挟持動作が実行されるため、垂直状態の中綴じ冊子の姿勢を矯正する効果を得ることができる。
【００５３】
また、上記実施形態においては、用紙処理制御部５０５は、挟持部による第１挟持動作の解除において、挟持部が冊子に接触した状態を維持するよう制御する構成を例示して説明したが、挟持部による第１挟持動作の解除において、挟持部が冊子から離間する構成であっても良い。
こうした構成であっても、第１挟持動作により、垂直状態の中綴じ冊子の姿勢を矯正する効果を得ることができる。
【００５４】
また、上記実施形態においては、用紙処理制御部５０５は、第１挟持動作において挟持部が中綴じ冊子を挟持する押圧力を、第２挟持動作において挟持部が中綴じ冊子を挟持する押圧力より小さくする構成を例示して説明したが、第１挟持動作と第２挟持動作において挟持部が中綴じ冊子を挟持する押圧力を同一としても良い。
こうした構成であっても、第１挟持動作により、垂直状態の中綴じ冊子の姿勢を矯正する効果を得ることができる。
【００５５】
また、上記実施形態においては、第１挟持動作及び第２挟持動作を一対の挟持板３４２，３４３により実行する構成を例示して説明したが、第１挟持動作を一対の押さえローラー３４４，３４５にて実行することも可能である。
その場合、先ず、用紙処理制御部５０５は、第１挟持動作を一対の押さえローラー３４４，３４５にて実行し、一対の押さえローラー３４４，３４５の間隙を僅かに広げて一対の押さえローラー３４４，３４５による第１挟持動作を解除する。その後、用紙処理制御部５０５は、一対の押さえローラー３４４，３４５が中綴じ冊子の両側に当接した状態において、一対の押さえローラー３４４，３４５を、中綴じ冊子を下方向に移動させる方向に回転させる回転動作を実行する。そして、用紙処理制御部５０５は、一対の押さえローラー３４４，３４５の回転動作中又は回転動作終了後、一対の挟持板３４２，３４３による第２挟持動作を実行する。
こうした構成であっても、第１挟持動作により、垂直状態の中綴じ冊子の姿勢を矯正する効果を得ることができる。
【００５６】
また、挟持部は、中綴じ冊子をＸ方向の両側から挟持できるものであれば、その構成は上記実施形態に限定されない。
【００５７】
また、中綴じ冊子を構成する用紙の枚数、紙種、坪量の少なくとも一つの条件に基づいて、第１挟持動作において挟持部が用紙を挟持する押圧力、挟持時間、及び挟持回数のうちの少なくとも一つの設定を変更する構成とすることも好ましい。
この場合、例えば、図８に示すように、用紙枚数と坪量に応じて、挟持部（一対の挟持板３４２，３４３又は一対の押さえローラー３４４，３４５）の押圧力を設定する設定テーブルＴ１を予め記憶部５０５ａに記憶しておく。用紙処理制御部５０５は、第１挟持動作の実行に際して、用紙枚数と坪量に応じて、押圧力の強さを決定し、それに応じて予め設定された第１所定距離を選択する。
図８は、用紙枚数と坪量に応じて、第１挟持動作における押圧力の強さを決定する一例であるが、用紙枚数と坪量に応じて、第１挟持動作における挟持時間を設定しても良く、用紙枚数と坪量に応じて、第１挟持動作を実行する挟持回数を設定しても良い。
また、これ以外にも、例えば、用紙枚数と紙種（例えば、コート紙、上質紙、それ以外に区別されている）に応じて、第１挟持動作における押圧力の強さ、第１挟持動作における挟持時間、又は第１挟持動作を実行する挟持回数を設定しても良い。
また、第１挟持動作を行う挟持部として一対の押さえローラー３４４，３４５を用いる場合、一対の押さえローラー３４４，３４５の回転数を変更する構成であっても良い。
かかる構成により、それぞれの中綴じ冊子に応じて、適切な第１挟持動作実行することができ、中綴じ冊子の姿勢をより効果的に矯正することができることとなる。
【符号の説明】
【００５８】
１  画像形成システム
１００  画像形成装置
３００  用紙処理装置
３１０  中折り部
３２０  中綴じ部
３３０  用紙搬送機構
３４０  クランプ部
３４１  リフター板（支持部）
３４２，３４３  一対の挟持板（一対の板体、挟持部）
３４４，３４５  一対の押さえローラー（一対のローラー、挟持部）
Ｍ１  第１駆動部（板体駆動部、挟持部）
Ｍ２  第２駆動部（ローラー駆動部、挟持部）
３５０  断裁部
３６０  角背成形部
３７０  排出部
５０２  中央制御部
５０５  用紙処理制御部（制御部）
【図１】
0005949802.tif 000002
【図２】
0005949802.tif 000003
【図３】
0005949802.tif 000004
【図４】
0005949802.tif 000005
【図５】
0005949802.tif 000006
【図６】
0005949802.tif 000007
【図７】
0005949802.tif 000008
【図８】
0005949802.tif 000009